(57)【要約】【課題】適切なタイミングで案内情報を出力することができる情報出力装置を提供することである。【解決手段】情報出力装置は、制御手段と、出力手段とを備える。前記制御手段は、電源状態の遷移指示に対応して、第１のコンテンツを出力するための第１の処理を実行する。前記出力手段は、前記電源状態の遷移指示の入力から前記第１のコンテンツを出力するまでの第１の時間帯に外部装置から提供された案内情報の出力を開始した後、前記第１のコンテンツを出力する。【選択図】図１
2012181054.tif 000002
【特許請求の範囲】
【請求項１】
電源状態の遷移指示に対応して、第１のコンテンツを出力するための第１の処理を実行する制御手段と、
前記電源状態の遷移指示の入力から前記第１のコンテンツを出力するまでの第１の時間帯に外部装置から提供された案内情報の出力を開始した後、前記第１のコンテンツを出力する出力手段と、
を備えた情報出力装置。
【請求項２】
前記制御手段は、前記第１のコンテンツをデコードするためのデコード処理を含む前記第１の処理を実行する請求項１記載の情報出力装置。
【請求項３】
前記制御手段は、前記電源状態の遷移指示に対応して、パワーオン処理を実行し、チャンネルを選択し、前記チャンネルにより提供される前記第１のコンテンツを出力するための前記第１の処理を実行する請求項１又は２記載の情報出力装置。
【請求項４】
前記出力手段は、前記第１の時間帯に前記案内情報の出力を開始し且つ前記案内情報の出力を終了し、前記案内情報に替えて前記第１のコンテンツを出力する請求項１乃至３の何れか１項記載の情報出力装置。
【請求項５】
前記出力手段は、電源状態の遷移指示に対応して、前記案内情報を出力し、
前記制御手段は、前記電源状態の遷移指示に対応して、前記案内情報の出力後にパワーオフ処理を実行する請求項１乃至４の何れか１項記載の情報出力装置。
【請求項６】
前記制御手段は、前記第１のコンテンツの出力を第２のコンテンツの出力へ変更するためのコンテンツ変更信号の入力に対応して、前記第２のコンテンツを出力するための第２の処理を実行し、
前記出力手段は、前記コンテンツ変更信号の入力から前記第２のコンテンツを出力するまでの第２の時間帯に前記案内情報の出力を開始した後、前記第２のコンテンツを出力する請求項１乃至５の何れか１項記載の情報出力装置。
【請求項７】
前記制御手段は、前記第１のコンテンツの出力を継続しつつ第３の処理の実行を指示する処理信号の入力に対応して、前記第３の処理を実行し、
前記出力手段は、前記処理信号の入力に対応して、前記第１のコンテンツの出力を継続しつつ前記案内情報を出力する請求項１乃至６の何れか１項記載の情報出力装置。
【請求項８】
前記出力手段は、前記処理信号の入力に対応して、前記第１のコンテンツに対応するコンテンツ映像を表示し、前記コンテンツ映像上に前記案内情報に対応する案内映像を表示する請求項７記載の情報出力装置。
【請求項９】
前記出力手段は、前記処理信号の入力に対応して、前記第１のコンテンツに対応するコンテンツ映像と、前記案内情報に対応する案内映像とを分けて表示する請求項７記載の情報出力装置。
【請求項１０】
ユーザの動きを検出する検出手段を備え、
前記出力手段は、前記ユーザの動き検出に応じて、前記案内情報に対応した案内音声を出力する請求項１乃至９の何れか１項記載の情報出力装置。
【請求項１１】
前記出力手段は、前記第１のコンテンツに対応したコンテンツ音声の音量レベルを変更して、前記案内音声を出力する請求項１０項記載の情報出力装置。
【請求項１２】
前記出力手段は、消費電力量情報を含む前記案内情報を出力する請求項１乃至１１の何れか１項記載の情報出力装置。
【請求項１３】
電子機器の消費電力量情報を収集する前記外部装置から提供される前記消費電力量情報を受信する受信手段を備える請求項１乃至１２の何れか１項記載の情報出力装置。
【請求項１４】
電源状態の遷移指示に対応して、第１のコンテンツを出力するための第１の処理を実行し、
前記電源状態の遷移指示の入力から前記第１のコンテンツを出力するまでの第１の時間帯に外部装置から提供された案内情報の出力を開始した後、前記第１のコンテンツを出力する情報出力方法。
【発明の詳細な説明】
【技術分野】
【０００１】
本発明の実施形態は、情報出力装置及び情報出力方法に関する。
【背景技術】
【０００２】
近年、例えばデジタルＴＶのような情報出力装置の普及が目覚ましい。この情報出力装置は、例えば、無線又は有線で他の電子装置と接続し、他の電子装置からの情報を受信し、受信した情報を出力することができる。
【０００３】
また、近年では、省エネルギーに対する関心の高まりから、スマートメータの利用が検討されている。例えば、スマートメータは、各家庭に設置され、各家庭のエネルギー消費を監視し、エネルギー消費情報等を表示することができる。
【０００４】
上記したように、情報出力装置は、他の電子装置からの情報を受信して表示することができるため、情報出力装置によりエネルギー消費情報等の各種情報をユーザに提供することが検討されている。
【先行技術文献】
【特許文献】
【０００５】
【特許文献１】特開２００８−１５１６１４号公報
【発明の概要】
【発明が解決しようとする課題】
【０００６】
例えば、他の電子装置からの各種情報を受信してユーザに提供することができる情報出力装置では、情報が確認する場合、ユーザは情報出力装置に対して、各種情報の出力のための所定操作をすることになる。つまり、ユーザが所定操作をしなければ、情報出力装置は、他の電子装置から提供される各種情報を出力しない。上記したようなエネルギー消費情報等は、エネルギー消費情報等の表示のための所定操作がなくても、適切なタイミングで表示されると便利である。
【０００７】
本発明が解決しようとする課題は、適切なタイミングで案内情報を出力することができる情報出力装置及び情報出力方法を提供することである。
【課題を解決するための手段】
【０００８】
実施形態の情報出力装置は、制御手段と、出力手段とを備える。前記制御手段は、電源状態の遷移指示に対応して、第１のコンテンツを出力するための第１の処理を実行する。前記出力手段は、前記電源状態の遷移指示の入力から前記第１のコンテンツを出力するまでの第１の時間帯に外部装置から提供された案内情報の出力を開始した後、前記第１のコンテンツを出力する。
【図面の簡単な説明】
【０００９】
【図１】第１の実施形態に係る情報出力システムの概略構成を示す図である。
【図２】第２の実施形態に係る情報出力システムの概略構成を示す図である。
【図３】第１及び第２の実施形態に係る案内情報の出力例を示す図である。
【図４】第１及び第２の実施形態に係る案内情報の出力例を示す図である。
【図５】第１及び第２の実施形態に係る案内情報の出力例を示す図である。
【図６】第１及び第２の実施形態に係る案内情報の出力例を示す図である。
【図７】第１及び第２の実施形態に係るテレビジョンの概略構成の一例を示す図である。
【発明を実施するための形態】
【００１０】
図１は、第１の実施形態に係る情報出力システムの概略構成を示す図である。図１に示すように、情報出力システムは、例えば、テレビジョン（情報出力装置）１、中継器(ESP (Energy Service Portals)/Gateway/Bridge)２、及びスマートメータ３により構成される。
【００１１】
テレビジョン１は、中継器２を介して、スマートメータ３と無線又は有線にて接続される。これにより、テレビジョン１は、中継器２を介して、スマートメータ３からの各種情報を受信することができる。なお、テレビジョン１と中継器２との間のインターフェース、及び中継器２とスマートメータ３との間のインターフェースには、様々な通信技術を適用することができる。例えば、上記インターフェースには、Bluetooth（登録商標）、ZigBee（登録商標）、Wi-Fi（登録商標）、PLCなどの通信技術を適用することができる。
【００１２】
例えば、テレビジョン１は、中継器２を介して、スマートメータ３（外部装置）からのスマートエナジーデータ（smart energy data）等の各種情報（案内情報）を得ることができる。例えば、スマートメータ３は、各家庭に設置され、近距離無線通信等により、エアコンディショナー、照明機器、及び映像機器等の電子機器と通信し、各電子機器から消費電力量情報を受信し、各電子機器の消費電力量情報及び合計消費電力量情報を表示したり、他の機器へ送信したりすることができる。さらに、スマートメータ３は、各電子機器の各時間帯の消費電力量、１日の消費電力量、１週間の消費電力量、１か月の消費電力量を管理することができ、同様に、各時間帯の合計消費電力量、１日の合計消費電力量、１週間の合計消費電力量、１か月の合計消費電力量等も管理することができ、これら管理された情報を表示したり、他の機器へ送信したりすることもできる。このような消費電力に関する情報を総称して、スマートエナジーデータと呼ぶ。また、スマートメータ３は家庭の電力計から上記のような消費電力情報を受信してもよい。
【００１３】
図２は、第２の実施形態に係る情報出力システムの概略構成を示す図である。図２に示すように、情報出力システムは、例えば、テレビジョン（情報出力装置）１及びスマートメータ３により構成される。つまり、テレビジョン（情報出力装置）１は、インターフェースを介して、直接、スマートメータ３から消費電力に関する情報（案内情報）を得ることができる。上記インターフェースには、Bluetooth、ZigBee、Wi-Fi、PLCなどの通信技術を適用することができる。
【００１４】
図７は、第１及び第２の実施形態に係るテレビジョン１の概略構成を示す図である。第１及び第２の実施形態では、テレビジョン１による各種情報出力について説明するが、テレビジョン１による各種情報出力だけに限定するものではない。例えば、各種情報を出力することができる各種のレコーダ及びプレイヤーにより以下説明する各種情報出力を実現することも可能である。
【００１５】
図７に示すように、テレビジョン１は、記録再生部１ａ、映像表示部１ｂ、音声出力部１ｃにより構成される。また、上記したレコーダは、記録再生部１ａにより構成され、上記したプレイヤーは、記録再生部１ａのうちの再生部により構成される。
【００１６】
図７に示すように、記録再生部１ａは、ユーザ操作入力部１０１、信号受光部１０２、通信モジュール１０３、制御モジュール（コントローラ）１０４、チューナ部１０５、メモリ１０６、ＯＳＤ制御モジュール１０７、記録再生信号処理モジュール１０８、合成処理モジュール１０９、ディスクドライブ部１１１、ハードディスクドライブ部１１２、人感センサ１１３を備えている。
【００１７】
制御モジュール１０４は、番組の記録動作及び再生動作を制御したり、また、後述する適切なタイミングでの案内情報の出力を制御したりすることができる。通信モジュール１０３は、例えばスマートメータ３に対して各種情報を送信したり、スマートメータ３から各種情報を受信したりすることができる。或いは、通信モジュール１０３は、例えば中継器２を介して、スマートメータ３に対して各種情報を送信したり、中継器２を介して、スマートメータ３から各種情報を受信したりすることができる。メモリ１０６は、通信モジュール１０３により受信された各種情報を記憶することができる。例えば、メモリ１０６は、スマートメータ３から提供される最新の各種情報を記憶する。
【００１８】
チューナ部１０５は、指定チャンネルの放送信号を選択し、選択した放送信号を記録再生信号処理モジュール１０８へ入力する。記録処理が指定されている場合には、記録再生信号処理モジュール１０８は、放送信号に対応した番組コンテンツ（映像信号及び音声信号）をディスクドライブ部１１１又はハードディスクドライブ部１１２へ入力する。ディスクドライブ部１１１は、入力された番組コンテンツをＤＶＤ又はＢＤ（Blu-ray）（登録商標）等の光ディスクへ記録する。或いは、ハードディスクドライブ部１１２は、入力された番組コンテンツをハードディスクへ記録する。再生処理が指定されている場合には、記録再生信号処理モジュール１０８は、放送信号に対応した番組コンテンツを、合成処理モジュール１０９を介して、映像表示部１ｂ及び音声出力部１ｃへ出力する。
【００１９】
続いて、リモートコントローラ１０２ａを介した各種操作の一例について説明する。ユーザ操作入力部１０１を介した各種操作は、リモートコントローラ１０２ａを介した各種操作と実質的に同一であるため、その説明は省略する。
【００２０】
リモートコントローラ１０２ａは、複数のキーを備え、これらキーを介して入力された指示に対応した信号を送信する。信号受光部１０２は、リモートコントローラ１０２ａからの信号を受信し、制御モジュール１０４へ通知する。例えば、リモートコントローラ１０２ａは、電子番組ガイド（ＥＰＧ）要求信号を送信すると、制御モジュール１０４は、電子番組ガイド要求信号を受け取り、電子番組ガイドの表示を制御する。
【００２１】
例えば、映像記録再生装置１は、チューナ部１０５に入力される放送信号から電子番組ガイドを表示するための電子番組情報を取得することができる。また、映像記録再生装置１は、ネットワーク経由で電子番組情報を取得することもできる。メモリ１０６は、取得された電子番組情報を記憶し、また、制御モジュール１０４は、記憶された電子番組情報に基づき電子番組ガイドを生成し、ＯＳＤ制御モジュール１０７へ出力する。ＯＳＤ制御モジュール１０７は、電子番組ガイドを合成処理モジュール１０９へ出力する。合成処理モジュール１０９は、ＯＳＤ制御モジュール１０７のＯＳＤ制御に基づき、電子番組ガイドの映像だけを出力することもできるし、所定番組の映像上に電子番組ガイドの映像を重ねた映像を出力することもできるし、所定番組の映像と電子番組ガイドの映像とを出力することもできる。これにより、映像表示部１ａは、電子番組ガイドを表示する。
【００２２】
以下、第１及び第２の実施形態に係る情報出力システムによる情報出力処理の一例について説明する。
【００２３】
図３を参照して、情報出力処理の第１例について説明する。
【００２４】
例えば、ユーザは、リモートコントローラ１０２ａのパワーキー１０２１を選択し、待機電力（＜動作電力）が供給された状態（待機状態）のテレビジョン１に対して、パワーオンを指示することができる。リモートコントローラ１０２ａは、パワーキー１０２１の選択に対応して、テレビジョン１に待機状態／動作状態の切り換え（パワーオン／パワーオフ）を指示する信号であるパワー制御信号（電源状態の遷移指示）を送信する。制御モジュール１０４は、待機状態でのパワー制御信号の受信（入力）に対応して、パワーオン処理を実行し、指定チャンネルを選択し、指定チャンネルにより提供される番組（第１のコンテンツ）を出力するための第１の処理を実行する。
【００２５】
つまり、待機電力（＜動作電力）が供給された状態（待機状態）のテレビジョン１が、パワー制御信号を受信すると、制御モジュール１０４は、動作電力（＞待機電力）を要求し、テレビジョン１は、動作電力の供給を受ける。つまり、待機状態のテレビジョン１は、パワー制御信号を受信すると、待機状態から、動作電力が供給された状態（動作状態）に切り替わる。なお、上記待機電力は０の場合もある。例えば、テレビジョン１が、バッテリーを搭載し、バッテリーからの電力供給により待機状態となることもある。
【００２６】
さらに、制御モジュール１０４は、パワー制御信号の受信に対応して、前回の動作状態の最後に選択されていたチャンネル情報をメモリ１０６から読み出し、読み出したチャンネル情報を指定チャンネルとしてチューナ部１０５へ通知する。チューナ部１０５は、放送信号から指定チャンネル信号を選択し、記録再生信号処理モジュール１０８は、指定チャンネルの信号をデコードし、指定チャンネル信号に基づく映像信号、音声信号を出力する。これに対応して、映像表示部１ｂは、指定チャンネル信号に基づく映像を表示し、音声出力部１ｃは、指定チャンネル信号に基づく音声を出力する。
【００２７】
また、制御モジュール１０４は、パワー制御信号の受信に対応して、上記したパワーオン処理及び第１の処理に要する待ち時間帯（第１の時間帯）に、メモリ１０６に記憶された最新の案内情報Ｄ１（図３）の出力の開始を指示する。例えば、案内情報Ｄ１は、上記したように、消費電力に関する情報を含む。
【００２８】
或いは、制御モジュール１０４は、パワー制御信号の受信に対応して、上記したパワーオン処理及び第１の処理に要する待ち時間帯（第１の時間帯）に、スマートメータ３に対して案内情報を要求し、スマートメータ３から最新の案内情報を受信し、受信した最新の案内情報の出力の開始を指示する。
【００２９】
或いは、上記待機状態において、制御モジュール１０４及び通信モジュール１０３が、定期的に、スマートメータ３に対して案内情報を要求し、スマートメータ３から最新の案内情報を受信し、受信した最新の案内情報をメモリ１０６上で定期的に更新し、制御モジュール１０４が、パワー制御信号の受信に対応して、メモリ１０６上で定期的に更新された最新の案内情報の出力の開始を指示する。
【００３０】
上記に対応して、記録再生信号処理モジュール１０８及びＯＳＤ制御モジュール１０７は、案内情報の出力を開始し、例えば、映像表示部１ｂが、案内情報の表示を開始する。つまり、パワー制御信号の受信に対応して、映像表示部１ｂは、待ち時間帯に案内情報の表示を開始した後、指定チャンネル信号に基づく映像の表示を開始する。例えば、映像表示部１ｂは、ａ秒の間、案内情報を表示する。
【００３１】
ここで、上記ａ秒の一例について説明する。
【００３２】
例えば、メモリ１０６が、上記ａ秒を記憶する。上記ａ秒は、メモリ１０６に記憶されるデフォルト値であってもよいし、ユーザの設定値であってもよいし、予め算出された第１の処理に必要とされる時間（必要値）であってもよい。また、制御モジュール１０４は、デフォルト値、ユーザの設定値、及び必要値のうちの最大値に基づき、案内情報を表示するための制御を実行する。
【００３３】
例えば、デフォルト値として２秒、ユーザの設定値として５秒、必要値として３秒が設定されている場合、制御モジュール１０４は、待ち時間帯に案内情報の表示の開始を指示し、５秒間、案内情報を表示するための制御を実行する。例えば、デフォルト値として２秒、ユーザの設定値として３秒、必要値として５秒が設定されている場合、制御モジュール１０４は、待ち時間帯に案内情報の表示の開始を指示し、５秒間、案内情報を表示するための制御を実行する。或いは、制御モジュール１０４は、必要値を上限として、デフォルト値、ユーザの設定値、及び必要値のうちの最大値を適用するようにしてもよい。
【００３４】
上記説明したように、テレビジョン１は、パワー制御信号の受信に対応した情報出力処理を実行することができる。つまり、テレビジョン１は、指定チャンネル信号に基づく映像、音声を出力するまでの待機時間に、案内情報の出力を開始することができる。例えば、テレビジョン１は、指定チャンネル信号に基づく映像、音声を出力するまでの待機時間に、スマートメータ３からの消費電力に関する情報を表示することができる。これにより、ユーザが意識的に案内情報を要求しなくても、ユーザは案内情報を見ることができる。つまり、ユーザはよりエコロジームーブメントに対する意識が向上する。
【００３５】
なお、上記説明では、テレビジョン１は、パワー制御信号の受信に対応して、指定チャンネル信号に基づく映像、音声を出力するまでの待機時間に、案内情報の出力を開始するケースについて説明した。しかしながら、テレビジョン１は、パワー制御信号の受信に対応して、ディスクドライブ部１１１の光ディスク、又はハードディスクドライブ部１１２のハードディスクに保存されたコンテンツに基づく映像、音声を出力するまでの待機時間に、案内情報の出力を開始することもできる。
【００３６】
次に、情報出力処理の第２例について説明する。
【００３７】
例えば、ユーザは、リモートコントローラ１０２ａのパワーキー１０２１を選択し、動作電力が供給された状態（動作状態）のテレビジョン１に対して、パワーオフを指示することができる。リモートコントローラ１０２ａは、パワーキー１０２１の選択に対応して、パワー制御信号を送信する。制御モジュール１０４は、動作状態でのパワー制御信号の受信に対応して、パワーオフ処理及び案内情報の出力処理を実行する。
【００３８】
つまり、動作電力が供給された動作状態のテレビジョン１が、パワー制御信号を受信すると、制御モジュール１０４は、選択されているチャンネル情報をメモリ１０６へ記憶し、指定チャンネル信号に基づく映像の出力を停止し、指定チャンネル信号に基づく音声の出力を停止する。さらに、制御モジュール１０４は、メモリ１０６に記憶された最新の案内情報の出力の開始を指示する。或いは、制御モジュール１０４は、スマートメータ３に対して案内情報を要求し、スマートメータ３から最新の案内情報を受信し、受信した最新の案内情報の出力の開始を指示する。
【００３９】
上記に対応して、記録再生信号処理モジュール１０８及びＯＳＤ制御モジュール１０７は、案内情報の出力を開始し、例えば、映像表示部１ｂが、案内情報の表示を開始する。つまり、パワー制御信号の受信に対応して、映像表示部１ｂは、案内情報の表示を開始した後、指定チャンネル信号に基づく映像の表示を開始する。例えば、映像表示部１ｂは、ｂ秒の間、案内情報を表示する。例えば、メモリ１０６が、上記ｂ秒を記憶する。上記ｂ秒は、メモリ１０６に記憶されるデフォルト値であってもよいし、ユーザの設定値であってもよい。
【００４０】
ｂ秒経過後、制御モジュール１０４は、動作電力供給状態から待機電力供給状態への変更を要求し、テレビジョン１は、待機電力の供給を受ける。つまり、動作状態のテレビジョン１は、パワー制御信号を受信すると、指定チャンネル信号に基づく映像の出力を停止し、指定チャンネル信号に基づく音声の出力を停止し、案内情報を出力し、その後、動作状態から待機状態に切り替わる。
【００４１】
上記説明したように、テレビジョン１は、パワー制御信号の受信に対応した情報出力処理を実行することができる。つまり、テレビジョン１は、動作状態から待機状態へ遷移する前に、案内情報の出力することができる。例えば、テレビジョン１は、動作状態から待機状態へ遷移する前に、スマートメータ３からの消費電力に関する情報を表示することができる。これにより、ユーザが意識的に案内情報を要求しなくても、ユーザは案内情報を見ることができる。
【００４２】
次に、情報出力処理の第３例について説明する。
【００４３】
例えば、ユーザは、リモートコントローラ１０２ａの各種キーを選択し、動作状態のテレビジョン１に対して、各種指示を出すことができる。これに対応して、テレビジョン１は、映像表示部１ｂに表示するためのデータをリロードすることがある。
【００４４】
例えば、ユーザは、リモートコントローラ１０２ａのチャンネルキー１０２２を選択し、テレビジョン１に対して、例えばチャンネルＡを指示することができる。リモートコントローラ１０２ａは、チャンネルキー１０２２の選択に対応して、例えばチャンネルＡの指定信号を送信する。制御モジュール１０４は、チャンネルＡの指定信号の受信に対応して、チャンネルＡにより提供される番組を出力するための第２の処理を実行する。第２の処理は、映像表示部１ｂに表示するためのデータのリロードを含む。
【００４５】
つまり、制御モジュール１０４は、チャンネルＡの指定信号の受信に対応して、チャンネルＡの選択処理を実行し、チューナ部１０５は、チャンネルＡの放送信号を選択し、記録再生信号処理モジュール１０８は、チャンネルＡの放送信号をデコードし、チャンネルＡの放送信号に基づく映像信号、音声信号を出力する。これに対応して、映像表示部１ｂは、チャンネルＡの放送信号に基づく映像を表示し、音声出力部１ｃは、チャンネルＡの放送信号に基づく音声を出力する。つまり、映像表示部１ｂで表示されていた映像が、チャンネルＡの放送信号に基づく映像に切り替わる。
【００４６】
制御モジュール１０４は、チャンネルＡの指定信号の受信に対応して、上記した第２の処理に要する待ち時間帯（第２の時間帯）に、メモリ１０６に記憶された最新の案内情報の出力の開始を指示する。或いは、制御モジュール１０４は、チャンネルＡの指定信号の受信に対応して、上記した第２の処理に要する待ち時間帯（第２の時間帯）に、スマートメータ３に対して案内情報を要求し、スマートメータ３から最新の案内情報を受信し、受信した最新の案内情報の出力の開始を指示する。
【００４７】
上記に対応して、記録再生信号処理モジュール１０８及びＯＳＤ制御モジュール１０７は、案内情報の出力を開始し、例えば、映像表示部１ｂが、案内情報の表示を開始する。つまり、チャンネルＡの指定信号の受信に対応して、映像表示部１ｂは、待ち時間帯に案内情報の表示を開始した後、チャンネルＡの放送信号に基づく映像の表示を開始する。例えば、映像表示部１ｂは、ｃ秒の間、案内情報を表示する。例えば、メモリ１０６が、上記ｃ秒を記憶する。上記ｃ秒は、メモリ１０６に記憶されるデフォルト値であってもよいし、ユーザの設定値であってもよい。
【００４８】
或いは、ユーザは、リモートコントローラ１０２ａの電子番組ガイドキー１０２３を選択し、テレビジョン１に対して、電子番組ガイドの表示を指示することができる。リモートコントローラ１０２ａは、電子番組ガイドキー１０２３の選択に対応して、電子番組ガイド要求信号を送信する。制御モジュール１０４は、電子番組ガイド要求信号の受信に対応して、電子番組ガイドを出力するための第３の処理を実行する。第３の処理は、映像表示部１ｂに表示するためのデータのリロードを含む。
【００４９】
つまり、制御モジュール１０４は、電子番組ガイド要求信号の受信に対応して、電子番組ガイドの出力処理を実行し、例えば、ＯＳＤ制御モジュール１０７は、放送信号に基づき電子番組ガイドを表示するための電子番組ガイド表示情報を生成し、電子番組ガイド表示情報出力する。これに対応して、映像表示部１ｂは、電子番組ガイド表示情報に基づく映像を表示する。つまり、映像表示部１ｂで表示されていた映像が、電子番組ガイドの映像に切り替わる。
【００５０】
制御モジュール１０４は、電子番組ガイド要求信号の受信に対応して、上記した第３の処理に要する待ち時間帯（第３の時間帯）に、メモリ１０６に記憶された最新の案内情報の出力の開始を指示する。或いは、制御モジュール１０４は、電子番組ガイド要求信号の受信に対応して、上記した第３の処理に要する待ち時間帯（第３の時間帯）に、スマートメータ３に対して案内情報を要求し、スマートメータ３から最新の案内情報を受信し、受信した最新の案内情報の出力の開始を指示する。
【００５１】
上記に対応して、記録再生信号処理モジュール１０８及びＯＳＤ制御モジュール１０７は、案内情報の出力を開始し、例えば、映像表示部１ｂが、案内情報の表示を開始する。つまり、電子番組ガイド要求信号の受信に対応して、映像表示部１ｂは、待ち時間帯に案内情報の表示を開始した後、電子番組ガイドの映像の表示を開始する。例えば、映像表示部１ｂは、ｄ秒の間、案内情報を表示する。例えば、メモリ１０６が、上記ｄ秒を記憶する。上記ｄ秒は、メモリ１０６に記憶されるデフォルト値であってもよいし、ユーザの設定値であってもよい。
【００５２】
上記説明したように、テレビジョン１は、チャンネルＡの指定信号、又は電子番組ガイド要求信号等の受信に対応した情報出力処理を実行することができる。つまり、テレビジョン１は、チャンネルＡの放送信号に基づく映像、音声を出力するまでの待機時間に、案内情報の出力を開始することができる。また、テレビジョン１は、電子番組ガイドに対応した映像を出力するまでの待機時間に、案内情報の出力を開始することができる。これにより、ユーザが意識的に案内情報を要求しなくても、ユーザは案内情報を見ることができる。
【００５３】
次に、図４を参照して、情報出力処理の第４例について説明する。
【００５４】
例えば、テレビジョン１の制御モジュール１０４は、人感センサ１１３からの出力に基づきユーザの動向を検出し、ユーザの動向の検出結果に応じて、上記した案内情報に対応した音声案内（例えば要約された消費電力に関する情報Ａ１）の出力を制御する。例えば、制御モジュール１０４が、ユーザの立ち去り又は周辺での移動を検出すると、上記した案内情報に対応した音声案内の出力を制御する。これに対応して、記録再生信号処理モジュール１０８は、案内情報に対応した音声データを出力し、音声出力部１ｃは、案内情報に対応した音声を出力する。例えば、要約された消費電力に関する情報Ａ１は、本日の合計消費電力量の情報等である。
【００５５】
さらに、制御モジュール１０４は、上記案内情報に対応した音声データの出力の際に、出力中の番組の音声の音量レベルを変更することもできる。例えば、制御モジュール１０４は、番組の音声の音量レベルを第１の音量レベルから第２の音量レベル（＜第１の音量レベル）へ変更する、又は番組の音声の音量レベルを第１の音量レベルから０レベルへ変更する（音声出力を停止する）。これにより、音声出力部１ｃは、変更された番組の音声を出力し、さらに、案内情報に対応した音声を出力することができる。
【００５６】
また、上記した第２例と第４例とを組み合わせることもできる。つまり、動作状態でパワー制御信号が受信され、且つユーザの不在又は立ち去り等が検出されると、制御モジュール１０４は、案内情報に対応した音声案内を出力するための制御を実行する。さらに、この場合、制御モジュール１０４は、案内情報に対応した表示案内を出力しないための制御を実行することもできる。これに対応して、動作状態でパワー制御信号が受信され、且つユーザの不在又は立ち去り等が検出された場合には、音声出力部１ｃは、案内情報に対応した音声を出力する。
【００５７】
上記説明したように、テレビジョン１は、ユーザの動向に応じて、情報出力処理を実行することができる。つまり、テレビジョン１は、ユーザの移動、立ち去り、不在等を検出すると、案内情報に対応する案内音声を出力することができる。これにより、ユーザが意識的に案内情報を要求しなくても、ユーザはテレビジョン１から離れた位置で案内情報を知り確認することができる。
【００５８】
次に、図５、図６を参照して、情報出力処理の第５例について説明する。
【００５９】
例えば、ユーザは、リモートコントローラ１０２ａの各種キーを選択し、動作状態のテレビジョン１に対して、各種指示を出すことができる。これに対応して、上記第３例では、テレビジョン１が、映像表示部１ｂに表示するためのデータをリロードするケースについて説明した。第５例では、テレビジョン１が、映像表示部１ｂに表示するためのデータをリロードしないケースについて説明する。
【００６０】
例えば、ユーザは、リモートコントローラ１０２ａのボリュームキー１０２４を選択し、テレビジョン１に対して、例えばボリューム変更を指示することができる。リモートコントローラ１０２ａは、ボリュームキー１０２４の選択に対応して、例えばボリューム変更信号を送信する。制御モジュール１０４は、ボリューム変更信号の受信に対応して、ボリューム変更処理を実行する。この場合、上記したリロード処理は発生しない。
【００６１】
さらに、制御モジュール１０４は、ボリューム変更信号の受信に対応して、案内情報を出力するように制御し、これに対応して、例えば図５に示すように、映像表示部１ｂは、直前に表示された映像Ｄ２の上に、案内情報に対応した映像Ｄ３を表示（ポップアップ表示）することができる。また、映像表示部１ｂは、直前に表示された映像Ｄ２の上に、案内情報に対応した映像Ｄ３を表示し、さらに、この案内情報に対応した映像Ｄ３をスクロールして表示することもできる。これにより、ユーザは、番組に対応した映像Ｄ２を見つつ、案内情報に対応した映像Ｄ３を見ることができる。或いは、図６に示すように、テレビジョン１の映像表示部１ｂは、直前に表示された映像Ｄ４と、案内情報に対応した映像Ｄ５とを分けて表示することができる。つまり、記録再生信号処理モジュール１０８が、直前に表示された映像をリサイズ（縮小）し、映像表示部１ｂが、リサイズされた映像Ｄ４と、案内情報に対応した映像Ｄ５とを分けて表示することができる。これにより、ユーザは、番組に対応した映像Ｄ４を見つつ、案内情報に対応した映像Ｄ５を見ることができる。
【００６２】
上記説明したように、テレビジョン１は、ボリューム変更信号等の受信に対応した情報出力処理を実行することができる。つまり、テレビジョン１は、ボリューム変更信号等を検出すると、番組に対応する映像を表示しつつ、案内情報を表示することができる。これにより、ユーザが意識的に案内情報を要求しなくても、ユーザは、番組に対応する映像を見つつ、案内情報も見ることができる。
【００６３】
次に、情報出力処理の第６例について説明する。
【００６４】
例えば、テレビジョン１の通信モジュール１０３が、定期的に、スマートメータ３（又は中継器２）に対して、案内情報を要求し、テレビジョン１の通信モジュール１０３が、定期的に、スマートメータ３（又は中継器２）から、案内情報を受信する場合、制御モジュール１０４は、定期的に受信した案内情報を表示するための制御を実行する。これに対応して、映像表示部１ｂは、定期的に受信した案内情報を表示する。
【００６５】
例えば図５に示すように、映像表示部１ｂは、直前に表示された映像Ｄ２の上に、案内情報に対応した映像Ｄ３を表示（ポップアップ表示）することができる。また、映像表示部１ｂは、直前に表示された映像Ｄ２の上に、案内情報に対応した映像Ｄ３を表示し、さらに、この案内情報に対応した映像Ｄ３をスクロールして表示することもできる。これにより、ユーザは、番組に対応した映像Ｄ２を見つつ、案内情報に対応した映像Ｄ３を見ることができる。或いは、図６に示すように、テレビジョン１の映像表示部１ｂは、直前に表示された映像Ｄ４と、案内情報に対応した映像Ｄ５とを分けて表示することができる。つまり、記録再生信号処理モジュール１０８が、直前に表示された映像をリサイズ（縮小）し、映像表示部１ｂが、リサイズされた映像Ｄ４と、案内情報に対応した映像Ｄ５とを分けて表示することができる。これにより、ユーザは、番組に対応した映像Ｄ４を見つつ、案内情報に対応した映像Ｄ５を見ることができる。
【００６６】
上記説明したように、テレビジョン１は、定期的に情報出力処理を実行することができる。つまり、テレビジョン１は、最新の案内情報を受信すると、番組に対応する映像の表示しつつ、案内情報も表示することができる。これにより、ユーザが意識的に案内情報を要求しなくても、ユーザは、番組に対応する映像を見つつ、定期的に、案内情報も見ることができる。
【００６７】
なお、上記説明では、テレビジョン１は、リモートコントローラ１０２ａからの各種信号の受信（入力）をトリガーとして、案内情報を出力（表示）するケースについて説明したが、同様に、ユーザ操作入力部１０１で受け付けた操作入力をトリガーとして、案内情報を出力することもできる。例えば、図７に示すように、ユーザ操作入力部１０１は、パワーキー１０１１、チャンネルキー１０１２、電子番組ガイドキー１０１３、ボリュームキー１０１４を備える。
【００６８】
また、ユーザ操作入力部１０１のパワーキー１０１１は、電力が供給されていない完全停止状態と動作電力が供給された動作状態とを切り替えるキーであってもよい。つまり電源状態には、完全停止状態、待機状態、動作状態があり、例えば、ユーザは、ユーザ操作入力部１０１のパワーキー１０１１を押下することで、電力が供給されていない状態（完全停止状態）のテレビジョン１を動作状態に切り換えることができる。ユーザ操作入力部１０１は、パワーキー１０１１の押下によって、テレビジョン１の制御モジュール１０４等の各種モジュールに電力を供給することができる。制御モジュール１０４は、電力が供給されたとき（動作状態となるとき）、動作開始時の初期処理を実行し、指定チャンネルを選択し、指定チャンネルにより提供される番組（第１のコンテンツ）を出力するための第１の処理を実行する。
【００６９】
つまり、電力が供給されていない状態（完全停止状態）のテレビジョン１は、動作開始指示（電源状態の遷移指示）に応じて、動作電力の供給を受ける。つまり、完全停止状態のテレビジョン１は、動作開始指示に応じて、完全停止状態から、動作電力が供給された状態（動作状態）に切り替わる。
【００７０】
さらに、制御モジュール１０４は、動作開始指示に対応して、前回の動作状態の最後に選択されていたチャンネル情報をメモリ１０６から読み出し、読み出したチャンネル情報を指定チャンネルとしてチューナ部１０５へ通知する。チューナ部１０５は、放送信号から指定チャンネル信号を選択し、記録再生信号処理モジュール１０８は、指定チャンネルの信号をデコードし、指定チャンネル信号に基づく映像信号、音声信号を出力する。これに対応して、映像表示部１ｂは、指定チャンネル信号に基づく映像を表示し、音声出力部１ｃは、指定チャンネル信号に基づく音声を出力する。
【００７１】
また、制御モジュール１０４は、動作開始指示に対応して、上記したパワーオン処理及び第１の処理に要する待ち時間帯（第１の時間帯）に、メモリ１０６に記憶された最新の案内情報の出力の開始を指示する。
【００７２】
或いは、制御モジュール１０４は、動作開始指示に対応して、上記したパワーオン処理及び第１の処理に要する待ち時間帯（第１の時間帯）に、スマートメータ３に対して案内情報を要求し、スマートメータ３から最新の案内情報を受信し、受信した最新の案内情報の出力の開始を指示する。
【００７３】
上記に対応して、記録再生信号処理モジュール１０８及びＯＳＤ制御モジュール１０７は、案内情報の出力を開始し、例えば、映像表示部１ｂが、案内情報の表示を開始する。つまり、動作開始指示に対応して、映像表示部１ｂは、待ち時間帯に案内情報の表示を開始した後、指定チャンネル信号に基づく映像の表示を開始する。
【００７４】
以下、第１及び第２の実施形態の情報出力処理の第１例〜第６例についてまとめる。
【００７５】
テレビジョン１は、ユーザからの有用データの出力要求がなくても、適切なタイミングで有用データ（例えば消費電力に関する情報）を表示することができる。
【００７６】
また、テレビジョン１は、ユーザからの有用データの出力要求がなくても、適切なタイミングで有用データをリマインダーとしてユーザに表示することができる。
【００７７】
また、テレビジョン１は、状況に応じて、適切なタイミングで有用データを音声出力することができる。例えば、テレビジョン１は、映像表示部１ｂの表示を見ていないユーザ、映像表示部１ｂの表示を見ることができないユーザ等のために、適切なタイミングで有用データを音声出力することができる。
【００７８】
なお、上記したモジュールとは、ハードウェアで実現するものであっても良いし、ＣＰＵ等を使ってソフトウェアで実現するものであってもよい。
【００７９】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００８０】
１…テレビジョン、１ａ…記録再生部、１ｂ…映像表示部、１ｃ…音声出力部、１０１…ユーザ操作入力部、１０２…信号受光部、１０３…通信モジュール、１０４…制御モジュール、１０５…チューナ部、１０６…メモリ、１０７…ＯＳＤ制御モジュール、１０８…記録再生信号処理モジュール、１０９…合成処理モジュール、１１１…ディスクドライブ部、１１２…ハードディスクドライブ部
【図１】
2012181054.tif 000003
【図２】
2012181054.tif 000004
【図３】
2012181054.tif 000005
【図４】
2012181054.tif 000006
【図５】
2012181054.tif 000007
【図６】
2012181054.tif 000008
【図７】
2012181054.tif 000009
【手続補正書】
【提出日】平成24年3月14日(2012.3.14)
【手続補正１】
【補正対象書類名】特許請求の範囲
【補正対象項目名】全文
【補正方法】変更
【補正の内容】
【特許請求の範囲】
【請求項１】
電源状態の遷移指示に対応して、第１のコンテンツを出力するための第１の処理を実行する制御手段と、
前記電源状態の遷移指示の入力から前記第１のコンテンツを出力するまでの第１の時間帯に外部装置から提供された案内情報の出力を開始した後、前記第１のコンテンツを出力する出力手段と、
を備えた情報出力装置。
【請求項２】
前記制御手段は、前記第１のコンテンツをデコードするためのデコード処理を含む前記第１の処理を実行する請求項１記載の情報出力装置。
【請求項３】
前記制御手段は、前記電源状態の遷移指示に対応して、パワーオン処理を実行し、チャンネルを選択し、前記チャンネルにより提供される前記第１のコンテンツを出力するための前記第１の処理を実行する請求項１又は２記載の情報出力装置。
【請求項４】
前記出力手段は、前記第１の時間帯に前記案内情報の出力を開始し且つ前記案内情報の出力を終了し、前記案内情報に替えて前記第１のコンテンツを出力する請求項１乃至３の何れか１項記載の情報出力装置。
【請求項５】
前記出力手段は、電源状態の遷移指示に対応して、前記案内情報を出力し、
前記制御手段は、前記案内情報の出力後に、前記電源状態の遷移指示に対応して、パワーオフ処理を実行する請求項１乃至４の何れか１項記載の情報出力装置。
【請求項６】
前記制御手段は、前記第１のコンテンツの出力を第２のコンテンツの出力へ変更するためのコンテンツ変更信号の入力に対応して、前記第２のコンテンツを出力するための第２の処理を実行し、
前記出力手段は、前記コンテンツ変更信号の入力から前記第２のコンテンツを出力するまでの第２の時間帯に前記案内情報の出力を開始した後、前記第２のコンテンツを出力する請求項１乃至５の何れか１項記載の情報出力装置。
【請求項７】
前記制御手段は、前記第１のコンテンツの出力を継続しつつ第３の処理の実行を指示する処理信号の入力に対応して、前記第３の処理を実行し、
前記出力手段は、前記第１のコンテンツの出力を継続しつつ、前記処理信号の入力に対応して、前記案内情報を出力する請求項１乃至６の何れか１項記載の情報出力装置。
【請求項８】
前記出力手段は、前記処理信号の入力に対応して、前記第１のコンテンツに対応するコンテンツ映像を表示し、前記コンテンツ映像上に前記案内情報に対応する案内映像を表示する請求項７記載の情報出力装置。
【請求項９】
前記出力手段は、前記処理信号の入力に対応して、前記第１のコンテンツに対応するコンテンツ映像と、前記案内情報に対応する案内映像とを分けて表示する請求項７記載の情報出力装置。
【請求項１０】
ユーザの動きを検出する検出手段を備え、
前記出力手段は、前記ユーザの動き検出に応じて、前記案内情報に対応した案内音声を出力する請求項１乃至９の何れか１項記載の情報出力装置。
【請求項１１】
前記出力手段は、前記第１のコンテンツに対応したコンテンツ音声の音量レベルを変更して、前記案内音声を出力する請求項１０項記載の情報出力装置。
【請求項１２】
前記出力手段は、消費電力量情報を含む前記案内情報を出力する請求項１乃至１１の何れか１項記載の情報出力装置。
【請求項１３】
電子機器の消費電力量情報を収集する前記外部装置から提供される前記消費電力量情報を受信する受信手段を備える請求項１乃至１２の何れか１項記載の情報出力装置。
【請求項１４】
電源状態の遷移指示に対応して、第１のコンテンツを出力するための第１の処理を実行し、
前記電源状態の遷移指示の入力から前記第１のコンテンツを出力するまでの第１の時間帯に外部装置から提供された案内情報の出力を開始した後、前記第１のコンテンツを出力する情報出力方法。